【手続補正書】
【提出日】平成26年1月29日(2014.1.29)
【手続補正１】
【補正対象書類名】特許請求の範囲
【補正対象項目名】請求項９
【補正方法】変更
【補正の内容】
【請求項９】
入札価格推定値を提供するためのコンピュータプログラムであって、
入札者のために対象キーワードの入札価格を推定する要求を受信するための機能と、
前記入札者が以前に前記対象キーワードに入札したことがあるか否かを判定するための機能と、
前記入札者が以前に前記対象キーワードに入札したことがない場合、前記対象キーワード以外のキーワードに対する前記入札者の複数の履歴入札価格、および、前記対象キーワードに対する他の入札者の複数の履歴入札価格に少なくとも部分的に基づいて、推定入札価格を決定するための機能と、
前記入札者が以前に前記対象キーワードに入札したことがある場合、前記要求に関連付けられている現在入札価格を修正することに少なくとも基づいて、前記推定入札価格を決定するための機能と、
前記対象キーワードの前記推定入札価格を返すための機能と、
をコンピュータによって実現させる、コンピュータプログラム。
【手続補正２】
【補正対象書類名】明細書
【補正対象項目名】０１０６
【補正方法】変更
【補正の内容】
【０１０６】
上述の実施形態は、理解しやすいようにいくぶん詳しく説明されているが、本発明は、提供された詳細事項に限定されるものではない。本発明を実施する多くの代替方法が存在する。開示された実施形態は、例示であり、限定を意図するものではない。
適用例１：入札価格推定値を提供する方法であって、入札者のために対象キーワードの入札価格を推定する要求を受信し、前記入札者が以前に前記対象キーワードに入札したことがあるか否かを判定し、前記入札者が以前に前記対象キーワードに入札したことがない場合、前記対象キーワード以外のキーワードに対する前記入札者の複数の履歴入札価格、および、前記対象キーワードに対する他の入札者の複数の履歴入札価格に少なくとも部分的に基づいて、推定入札価格を決定し、前記入札者が以前に前記対象キーワードに入札したことがある場合、前記要求に関連付けられている現在入札価格を修正することに少なくとも基づいて、前記推定入札価格を決定し、前記対象キーワードの前記推定入札価格を返すこと、を備える、方法。
適用例２：適用例１に記載の方法であって、前記要求は、前記入札者に関連付けられている識別子、前記対象キーワードの前記現在入札価格、および、前記対象キーワード、の内の１または複数を含む、方法。
適用例３：適用例１に記載の方法であって、前記入札者が以前に前記対象キーワードに入札したことがない場合に、前記対象キーワード以外のキーワードに対する前記入札者の購入価格中央値、および、前記入札者によって購入された他のキーワードの数を決定し、前記対象キーワードに対する他の入札者の購入価格中央値、および、前記対象キーワードを購入したことのある他の入札者の数を決定し、前記入札者によって購入されたキーワードの前記決定されたキーワード数、および、前記対象キーワードを購入した他の入札者の数を閾値と比較して、基準価格を選択すること、を備える、方法。
適用例４：適用例３に記載の方法であって、前記基準価格は、前記推定入札価格として決定される、方法。
適用例５：適用例３に記載の方法であって、前記基準価格として、前記対象キーワード以外のキーワードに対応する前記入札者の前記購入価格中央値または前記対象キーワードに対応する他の入札者の前記購入価格中央値の一方が選択される、方法。
適用例６：適用例１に記載の方法であって、前記入札者が以前に前記対象キーワードに入札したことがある場合に、前記対象キーワードに対する前記入札者の複数の履歴入札価格、前記対象キーワードに対する全入札者の複数の履歴入札価格、および、前記対象キーワード以外のキーワードに対する全入札者の複数の入札価格履歴を取得し、前記対象キーワードに対する前記入札者の前記複数の履歴入札価格における２つの連続した入札価格の間の平均増分を決定し、前記対象キーワードに対する全入札者の前記複数の履歴入札価格における２つの連続した入札価格の間の平均増分を決定し、前記要求に含まれる前記現在入札価格からの他の入札者の平均入札価格増分を決定し、前記現在入札価格に少なくとも部分的に基づいて修正価格を決定すること、を備える、方法。
適用例７：適用例６に記載の方法であって、前記修正価格は、前記推定入札価格として決定される、方法。
適用例８：適用例１に記載の方法であって、前記入札価格は、ウェブサイトまたは検索エンジンでのオンライン広告に関連する、方法。
適用例９：入札価格推定値を提供するためのコンピュータプログラム製品であって、前記コンピュータプログラム製品は、一時的でないコンピュータ読み取り可能な記憶媒体内に具現化され、入札者のために対象キーワードの入札価格を推定する要求を受信するためのコンピュータ命令と、前記入札者が以前に前記対象キーワードに入札したことがあるか否かを判定するためのコンピュータ命令と、前記入札者が以前に前記対象キーワードに入札したことがない場合、前記対象キーワード以外のキーワードに対する前記入札者の複数の履歴入札価格、および、前記対象キーワードに対する他の入札者の複数の履歴入札価格に少なくとも部分的に基づいて、推定入札価格を決定するためのコンピュータ命令と、前記入札者が以前に前記対象キーワードに入札したことがある場合、前記要求に関連付けられている現在入札価格を修正することに少なくとも基づいて、前記推定入札価格を決定するためのコンピュータ命令と、前記対象キーワードの前記推定入札価格を返すためのコンピュータ命令と、を備える、コンピュータプログラム製品。
適用例１０：入札価格推定値を提供するシステムであって、プロセッサであって、入札者のために対象キーワードの入札価格を推定する要求を受信し、前記入札者が以前に前記対象キーワードに入札したことがあるか否かを判定し、前記入札者が以前に前記対象キーワードに入札したことがない場合、前記対象キーワード以外のキーワードに対する前記入札者の複数の履歴入札価格、および、前記対象キーワードに対する他の入札者の複数の履歴入札価格に少なくとも部分的に基づいて、推定入札価格を決定し、前記入札者が前記対象キーワードに以前に入札したことがある場合、前記要求に関連付けられている現在入札価格を修正することに少なくとも基づいて、前記推定入札価格を決定し、前記対象キーワードの前記推定入札価格を返すよう構成されているプロセッサと、前記プロセッサに接続されており、前記プロセッサに命令を提供するよう構成されているメモリと、を備える、システム。
適用例１１：適用例１０に記載のシステムであって、前記要求は、前記入札者に関連付けられている識別子、前記対象キーワードの前記現在入札価格、および、前記対象キーワード、の内の１または複数を含む、システム。
適用例１２：適用例１０に記載のシステムであって、前記入札者が以前に前記対象キーワードに入札したことがない場合、前記プロセッサは、前記対象キーワード以外のキーワードに対する前記入札者の購入価格中央値、および、前記入札者によって購入された他のキーワードの数を決定し、前記対象キーワードに対する他の入札者の購入価格中央値、および、前記対象キーワードを購入したことのある他の入札者の数を決定し、前記入札者によって購入されたキーワードの前記決定されたキーワード数、および、前記対象キーワードを購入した他の入札者の数を閾値と比較して、基準価格を選択するよう構成されている、システム。
適用例１３：適用例１２に記載のシステムであって、前記基準価格は、前記推定入札価格として決定される、システム。
適用例１４：適用例１２に記載のシステムであって、前記基準価格として、前記対象キーワード以外のキーワードに対する前記入札者の前記購入価格中央値または前記対象キーワードに対する他の入札者の前記購入価格中央値の一方が選択される、システム。
適用例１５：適用例１０に記載のシステムであって、前記入札者が以前に前記対象キーワードに入札したことがある場合、前記プロセッサは、前記対象キーワードに対する前記入札者の複数の履歴入札価格、前記対象キーワードに対する全入札者の複数の履歴入札価格、および、前記対象キーワード以外のキーワードに対する全入札者の複数の入札価格履歴を取得し、前記対象キーワードに対する前記入札者の前記複数の履歴入札価格における２つの連続した入札価格の間の平均増分を決定し、前記対象キーワードに対する全入札者の前記複数の履歴入札価格における２つの連続した入札価格の間の平均増分を決定し、前記要求に含まれる前記現在入札価格からの他の入札者の平均入札価格増分を決定し、前記現在入札価格に少なくとも部分的に基づいて修正価格を決定するよう構成されている、システム。
適用例１６：適用例１５に記載のシステムであって、前記修正価格は、前記推定入札価格として決定される、システム。
適用例１７：適用例１０に記載のシステムであって、前記入札価格は、ウェブサイトまたは検索エンジンでのオンライン広告に関連する、システム。